(57)【要約】【課題】挿入口に異物が設置されるのを抑制しながら、挿入口に異物が設置された場合にも異物を検出することが可能なカード処理装置を提供する。【解決手段】カードが挿入される挿入口１ａと、挿入口１ａを開閉するために、移動可能に設けられたシャッタ部材５と、シャッタ部材５の位置を検出するためのシャッタ位置検出センサと、シャッタ部材５が閉状態の場合に、シャッタ部材５の上端部５ａと当接する当接部１ｂと、を備えている。そして、シャッタ部材５の上端部５ａには、幅方向に所定の間隔を隔てて複数の凸部５ｂが形成され、当接部１ｂには、シャッタ部材５が閉状態の場合に、シャッタ部材５の凸部５ｂが配置される凹部１ｃが形成されている。【選択図】図３
2010140117.tif 000002
【特許請求の範囲】
【請求項１】
カードが挿入される挿入口と、
前記挿入口を開閉するために、移動可能に設けられたシャッタ部材と、を備えたカード処理装置において、
前記シャッタ部材の位置を検出するためのシャッタ位置検出部と、
前記シャッタ部材が閉状態の場合に、前記シャッタ部材の端部と当接する当接部と、をさらに備え、
前記シャッタ部材の端部には、幅方向に所定の間隔を隔てて複数の凸部が形成され、
前記当接部には、前記シャッタ部材が閉状態の場合に、前記シャッタ部材の凸部を受け入れる受入部が形成されていることを特徴とするカード処理装置。
【請求項２】
請求項１に記載のカード処理装置において、
前記シャッタ部材を移動させるための駆動部と、
前記駆動部を制御する制御部と、をさらに備え、
前記制御部は、前記挿入口を閉じるように、前記駆動部により前記シャッタ部材を移動させたときに、前記シャッタ位置検出部の検出結果に基づいて、前記シャッタ部材が閉状態の位置まで移動したか否かを判断することにより、前記挿入口に異物が設置されたか否かを判断することを特徴とするカード処理装置。
【請求項３】
請求項１に記載のカード処理装置において、
前記シャッタ部材を移動させるための駆動部と、
前記駆動部を制御する制御部と、
前記挿入口にカードが挿入されたことを検出するためのカード挿入検出部と、
前記挿入口を介して挿入されたカードの位置を検出するためのカード位置検出部と、をさらに備え、
前記制御部は、前記挿入口を閉じるように、前記駆動部により前記シャッタ部材を移動させたときに、前記シャッタ位置検出部の検出結果に基づいて、前記シャッタ部材が閉状態の位置まで移動していないと判断した場合に、前記カード挿入検出部および前記カード位置検出部の検出結果に基づいて、前記挿入口に異物が設置されたか否かを判断することを特徴とするカード処理装置。
【発明の詳細な説明】
【技術分野】
【０００１】
本発明は、挿入口を開閉するためのシャッタ部材を備えたカード処理装置に関する。
【背景技術】
【０００２】
従来、カードが挿入される挿入口と、挿入口を開閉するためのシャッタ部材とを備えたカード処理装置において、不正行為を防ぐための対策を施したカード処理装置が知られている（たとえば、特許文献１および２参照）。
【０００３】
上記特許文献１には、シャッタ部材の端部に複数のＶ溝が形成されたカード処理装置が開示されている。このカード処理装置は、紐が取り付けられたカードが挿入された後シャッタ部材が閉じた場合に、紐がＶ溝に落ち込むように構成されている。これにより、カードに取り付けられた紐を用いて、シャッタ部材が強制的に開かれるのを防止することが可能である。したがって、挿入されたカードが記録情報の更新前に強制的に引き抜かれるのを防止することが可能である。
【０００４】
一方、挿入口の内部に異物を設置して意図的にカード詰りを発生させ、カードの利用者が係員を呼びに行っている間に、詰ったカードを抜き取って持ち去るという不正行為が行われる場合もある。この対策として、上記特許文献２には、棒状の異物検出部材と、異物検出部材が嵌合する嵌合部材と、異物検出部材が嵌合部材に嵌合したか否かを検出する検出部材とが挿入口に設けられたカード処理装置が開示されている。異物検出部材は、カードの挿入方向と直交する方向に延びるように形成されている。嵌合部材は、カードの挿入方向と直交する方向に延びるように溝状に形成されている。このカード処理装置は、シャッタ部材が開いた場合に異物検出部材が上昇するとともに、シャッタ部材が閉じた場合に、異物検出部材が下降して嵌合部材の溝に嵌合するように構成されている。
【０００５】
そして、上記特許文献２のカード処理装置では、挿入口に糸状の異物が設置されている場合において、シャッタ部材を閉じた場合には、下降する異物検出部材が異物により遮られ嵌合部材に嵌合しない。このとき、検出部材により、異物検出部材が嵌合部材に嵌合していないことが検出される。これにより、挿入口に糸状の異物が設置されたことを検出する。
【０００６】
【特許文献１】特許第２９１５７８９号公報
【特許文献２】特許第３８７６０５３号公報
【発明の開示】
【発明が解決しようとする課題】
【０００７】
しかしながら、上記特許文献２に開示された従来のカード処理装置では、糸状の異物を検出することが可能である一方、たとえば、嵌合部材の延びる方向に沿ってフィルム状の異物が挿入口を塞ぐように設置された場合には、異物を検出することが困難であるという問題点がある。
【０００８】
なお、上記特許文献１のカード処理装置では、挿入口に設置された異物を検出する機能は備わっていない。
【０００９】
本発明は、上述した課題を解決するものであって、その目的とするところは、挿入口に異物が設置されるのを抑制しながら、挿入口に異物が設置された場合にも異物を検出することが可能なカード処理装置を提供することである。
【課題を解決するための手段】
【００１０】
本発明のカード処理装置は、カードが挿入される挿入口と、挿入口を開閉するために、移動可能に設けられたシャッタ部材と、を備えたカード処理装置において、シャッタ部材の位置を検出するためのシャッタ位置検出部と、シャッタ部材が閉状態の場合に、シャッタ部材の端部と当接する当接部と、をさらに備え、シャッタ部材の端部には、幅方向に所定の間隔を隔てて複数の凸部が形成され、当接部には、シャッタ部材が閉状態の場合に、シャッタ部材の凸部を受け入れる受入部が形成されている。
【００１１】
このように構成することによって、挿入口に異物が設置されている場合において、挿入口を閉じるようにシャッタ部材を移動させた場合には、異物により、凸部が受入部に受け入れられるのが妨げられる。すなわち、異物により、シャッタ部材が閉状態の位置まで移動することが妨げられる。このとき、シャッタ位置検出部では、シャッタ部材が閉状態の位置まで移動していないことが検出されるので、挿入口に異物が設置されたことを検出することができる。また、シャッタ部材に複数の凸部が形成され、当接部に凸部を受け入れる受入部が形成されていることにより、上記特許文献２のように、カードの挿入方向と直交する方向に延びる溝状の嵌合部材が設けられる場合に比べて、挿入口内に異物を設置しにくくすることができる。
【００１２】
上記カード処理装置において、シャッタ部材を移動させるための駆動部と、駆動部を制御する制御部と、をさらに備え、制御部は、挿入口を閉じるように、駆動部によりシャッタ部材を移動させたときに、シャッタ位置検出部の検出結果に基づいて、シャッタ部材が閉状態の位置まで移動したか否かを判断することにより、挿入口に異物が設置されたか否かを判断するように構成してもよい。
【００１３】
上記カード処理装置において、シャッタ部材を移動させるための駆動部と、駆動部を制御する制御部と、挿入口にカードが挿入されたことを検出するためのカード挿入検出部と、挿入口を介して挿入されたカードの位置を検出するためのカード位置検出部と、をさらに備え、制御部は、挿入口を閉じるように、駆動部によりシャッタ部材を移動させたときに、シャッタ位置検出部の検出結果に基づいて、シャッタ部材が閉状態の位置まで移動していないと判断した場合に、カード挿入検出部およびカード位置検出部の検出結果に基づいて、挿入口に異物が設置されたか否かを判断するように構成してもよい。
【００１４】
このように構成すれば、カード挿入検出部およびカード位置検出部の両方がカードを検出していない場合に、挿入口に異物が設置されたと判断し、カード挿入検出部およびカード位置検出部の少なくとも一方がカードを検出している場合に、機械的故障の発生と判断することにより、異物の設置と機械的故障とを区別して検出できるので、それぞれの状況に応じた的確な対応をとることができる。
【発明の効果】
【００１５】
本発明によれば、挿入口に異物が設置されるのを抑制しながら、挿入口に異物が設置された場合にも異物を検出することが可能なカード処理装置を提供することができる。
【発明を実施するための最良の形態】
【００１６】
以下、本発明の実施形態について、図面を参照しながら説明する。なお、以下の実施形態では、ＡＴＭ（Automated Teller Machine：現金自動預け払い機）に設けられたカード処理装置に本発明を適用した場合について説明する。
【００１７】
図１は、本発明の一実施形態によるカード処理装置が設けられたＡＴＭの構成を示したブロック図である。図２は、図１のカード処理装置の概略を示した側面図である。図３は、図２のシャッタ部材が開いた状態を示した正面図であり、図４は、図２のシャッタ部材が閉じた状態を示した正面図である。図５は、図２のカード処理装置の構成を示したブロック図である。まず、図１〜図５を参照して、本実施形態によるカード処理装置１００およびＡＴＭ１５０の構成について説明する。
【００１８】
ＡＴＭ１５０は、図１に示すように、ＡＴＭ本体１５１と、電源１５２と、カード処理装置１００とを備えている。ＡＴＭ１５０は、利用者が現金の引き出しなどの取引を行うために、金融機関などに設置されている。
【００１９】
本発明の一実施形態によるカード処理装置１００は、ＡＴＭ１５０に設けられており、電源１５２から電力が供給されている。このカード処理装置１００は、利用者により挿入されたカード２００に対して、所定の処理を施すように構成されている。具体的には、カード処理装置１００は、カード２００に記憶されたデータを読み取り、その読み取ったデータをＡＴＭ本体１５１に送信する。また、カード処理装置１００は、ＡＴＭ本体１５１から送信されたデータを受信し、その受信したデータをカード２００に書き込む。
【００２０】
また、カード処理装置１００は、図２に示すように、筐体１と、搬送ローラ２ａ〜２ｄと、カード位置検出センサ３ａ〜３ｃと、読取／書込ヘッド４と、シャッタ部材５と、シャッタ位置検出センサ６と、カード挿入検出センサ７とを含んでいる。なお、カード位置検出センサ３ａは、本発明の「カード位置検出部」の一例である。また、シャッタ位置検出センサ６は、本発明の「シャッタ位置検出部」の一例であり、カード挿入検出センサ７は、本発明の「カード挿入検出部」の一例である。
【００２１】
筐体１には、矢印Ｘ２方向側の端部にカード２００が挿入される挿入口１ａが設けられている。搬送ローラ２ａ〜２ｄは、それぞれ、搬送路Ｐを挟んで上下一対に設けられている。搬送ローラ２ａ〜２ｄは、カード２００を挿入方向（矢印Ｘ１方向）および排出方向（矢印Ｘ２方向）に搬送する。
【００２２】
カード位置検出センサ３ａ〜３ｃは、たとえば、透過型の光センサであり、搬送路Ｐ上のカード２００の位置を検出する。読取／書込ヘッド４は、挿入されたカード２００に対してデータの読み取りや書き込みを行う。
【００２３】
シャッタ部材５は、挿入口１ａを開閉するために、開方向（矢印Ｚ１方向）および閉方向（矢印Ｚ２方向）に移動可能に設けられている。このシャッタ部材５の上端部５ａには、図３に示すように、幅方向（Ｙ方向）に所定の間隔Ｌ１を隔てて複数の凸部５ｂが形成されている。すなわち、シャッタ部材５の上端部５ａは、正面視において櫛状に形成されている。凸部５ｂは、幅Ｗ１を有するとともに、高さＨを有する。
【００２４】
挿入口１ａの上側（矢印Ｚ２方向側）の内側面には、シャッタ部材５と対応する領域に当接部１ｂが形成されている。当接部１ｂには、幅方向（Ｙ方向）に間隔Ｌ１よりも少しだけ小さい間隔Ｌ２を隔てて複数の凹部１ｃが形成されている。なお、凹部１ｃは、本発明の「受入部」の一例である。凹部１ｃは、幅Ｗ１よりも少しだけ大きい幅Ｗ２を有するとともに、高さＨよりも大きい深さＤを有する。また、凹部１ｃは、平面的に見て矩形状に形成されるとともに、凸部５ｂと対応する領域の上方に位置している。
【００２５】
これにより、シャッタ部材５は、図４に示すように、閉状態の場合に、シャッタ部材５の上端部５ａが当接部１ｂに当接するとともに、凸部５ｂが凹部１ｃに受け入れられる。すなわち、凹部１ｃは、凸部５ｂの受入部として機能する。
【００２６】
シャッタ位置検出センサ６は、たとえば、マイクロスイッチであり、シャッタ部材５が閉状態の位置まで移動したことを検出する。カード挿入検出センサ７は、たとえば、マイクロスイッチであり、カード２００が挿入口１ａに挿入されたことを検出する。また、カード挿入検出センサ７は、カード位置検出センサ３ａまでの距離がカード２００の矢印Ｘ１方向における長さよりも小さくなるように配置されている。
【００２７】
また、カード処理装置１００は、図５に示すように、搬送ローラ２ａ〜２ｄを駆動するモータ８と、シャッタ部材５を移動させるためのソレノイドなどからなるアクチュエータ９と、ＡＴＭ本体１５１とデータのやり取りを行うための入出力部１０と、カード処理装置１００の動作を制御する制御部１１とを含んでいる。なお、アクチュエータ９は、本発明の「駆動部」の一例である。
【００２８】
図６は、本発明の一実施形態によるカード処理装置の動作を説明するためのフローチャートである。図７〜図９は、本発明の一実施形態によるカード処理装置の動作を説明するための側面図である。次に、図２および図５〜図９を参照して、本実施形態によるカード処理装置１００の動作について説明する。なお、このフローチャートの各ステップは、制御部１１（図５参照）により実行される。
【００２９】
まず、カード処理装置１００では、図６のステップＳ１において、カード挿入検出センサ７（図２参照）の検出結果に基づいて、カード２００（図２参照）が筐体１の挿入口１ａ（図２参照）に挿入されたか否かが判断される。カード２００が挿入口１ａに挿入されていないと判断された場合には、ステップＳ１が繰り返し行われる。すなわち、カード処理装置１００は、カード２００が挿入されるまで待機する。そして、カード２００が挿入口１ａに挿入されたと判断されると、ステップＳ２に移る。
【００３０】
次に、ステップＳ２において、アクチュエータ９（図５参照）により、シャッタ部材５（図２参照）を開方向（矢印Ｚ１方向）に移動させる。これにより、図７に示すように、シャッタ部材５が搬送路Ｐから退避するので、挿入口１ａが開かれる。次に、ステップＳ３において、モータ８（図５参照）を駆動することにより、搬送ローラ２ａ〜２ｄ（図７参照）を正転させる。これにより、カード２００が矢印Ｘ１方向に搬送されるので、図８に示すように、カード２００が筐体１の内部に取り込まれる。なお、挿入口１ａは、開かれてから所定の時間経過後にシャッタ部材５により閉じられる。この挿入口１ａを閉じる動作の詳細については後述する。
【００３１】
次に、ステップＳ４において、読取／書込ヘッド４により、筐体１の内部に取り込まれたカード２００に対してデータの読み取りや書き込みが行われる。このとき、入出力部１０（図５参照）を介してＡＴＭ本体１５１（図５参照）との通信も行われる。
【００３２】
その後、ＡＴＭ本体１５１からカード２００の排出指令が入力されると、ステップＳ５において、アクチュエータ９により、シャッタ部材５を矢印Ｚ１方向に移動させる。これにより、図９に示すように、シャッタ部材５が搬送路Ｐから退避するので、挿入口１ａが開かれる。次に、ステップＳ６において、モータ８を駆動することにより、搬送ローラ２ａ〜２ｄを逆転させる。これにより、カード２００が矢印Ｘ２方向に搬送される。
【００３３】
次に、ステップＳ７において、カード挿入検出センサ７の検出結果に基づいて、カード２００が挿入口１ａから抜き取られたか否かが判断される。カード２００が抜き取られていないと判断された場合には、ステップＳ７が繰り返し行われる。すなわち、カード処理装置１００は、カード２００が抜き取られるまで待機する。そして、カード２００が抜き取られたと判断されると、挿入口１ａがシャッタ部材５により閉じられ、一連の動作が終了する。
【００３４】
図１０は、本発明の一実施形態によるカード処理装置の挿入口を閉じる動作を説明するためのフローチャートである。図１１〜図１４は、本発明の一実施形態によるカード処理装置の挿入口を閉じる動作を説明するための図である。次に、図３〜図５および図１０〜図１４を参照して、本実施形態によるカード処理装置１００の挿入口１ａを閉じる動作について説明する。なお、このフローチャートの各ステップは、制御部１１（図５参照）により実行される。
【００３５】
まず、カード処理装置１００では、図１０のステップＳ１１において、アクチュエータ９（図５参照）により、シャッタ部材５（図３参照）を閉方向（矢印Ｚ２方向）に移動させる。
【００３６】
次に、ステップＳ１２において、シャッタ位置検出センサ６（図５参照）の検出結果に基づいて、シャッタ部材５が閉状態の位置まで移動したか否かが判断される。そして、図４に示すように、シャッタ部材５の上端部５ａが当接部１ｂに当接していて、シャッタ部材５が閉状態の位置まで移動したと判断された場合には、ステップＳ１３において、正常に挿入口１ａが閉じたことをＡＴＭ本体１５１（図５参照）に送信し、挿入口１ａを閉じる動作が終了する。その一方、シャッタ部材５の上端部５ａが当接部１ｂに当接しておらず、シャッタ部材５が閉状態の位置まで移動していないと判断された場合、すなわち、正常に挿入口１ａが閉じていないと判断された場合には、ステップＳ１４に移る。
【００３７】
次に、ステップＳ１４において、カード挿入検出センサ７（図５参照）およびカード位置検出センサ３ａ（図５参照）の少なくともいずれか一方がカード２００を検出しているか否かが判断される。そして、図１１に示すように、シャッタ部材５と当接部１ｂとの間にカード２００が存在するために、ステップＳ１２においてシャッタ部材５が閉状態の位置まで移動していないと判断され、かつ、図１２に示すように、カード挿入検出センサ７およびカード位置検出センサ３ａの少なくともいずれか一方がカード２００を検出している場合には、機械的な故障によりカード２００を挟み込んだと判断する。この場合には、ステップＳ１５において、その旨をＡＴＭ本体１５１に送信し、挿入口１ａを閉じる動作が終了する。そして、ＡＴＭ本体１５１から係員室へ機械的故障の発生が通報されるとともに、ＡＴＭ１５０は取扱中止の状態となり、係員による復旧作業が行われる。なお、機械的故障とは、たとえば、モータ８や搬送ローラ２ａ〜２ｄの故障をいう。
【００３８】
その一方、図１３に示すように、シャッタ部材５と当接部１ｂとの間に異物Ｆが存在するために、ステップＳ１２においてシャッタ部材５が閉状態の位置まで移動していないと判断され、かつ、図１４に示すように、カード挿入検出センサ７およびカード位置検出センサ３ａの両方がカード２００を検出していない場合には、異物Ｆを挟み込んだと判断する。この場合には、ステップＳ１６において、その旨をＡＴＭ本体１５１に送信し、挿入口１ａを閉じる動作が終了する。そして、ＡＴＭ本体１５１から係員室へ異物検出が通報されるとともに、ＡＴＭ１５０は取扱中止の状態となり、係員による異物除去作業が行われる。
【００３９】
本実施形態では、上記のように、幅方向に所定の間隔Ｌ１を隔てて複数の凸部５ｂが形成されたシャッタ部材５と、幅方向に所定の間隔Ｌ２を隔てて複数の凹部１ｃが形成された当接部１ｂとを設けることによって、挿入口１ａ内へ異物が設置されるのを抑制することができる。すなわち、上記特許文献２のカード処理装置では、嵌合部材の溝がカードの挿入方向と直交する方向に連続的に延びているため、この方向に沿ってフィルム状の異物を挿入口を塞ぐように溝に設置することが容易に行えるが、本実施形態では、複数の凹部１ｃが間隔を隔てて設けられているため、凹部１ｃに挿入口１ａを塞ぐように異物Ｆを設置するのが困難となる。そして、図１４に示すようにフィルム状の異物Ｆが設置された場合、挿入口１ａに異物Ｆが設置されたことを検出することができる。その結果、カード処理装置１００に対して、異物Ｆによるカード詰りをひき起こして他人のカードを持ち去るという不正な行為が行われるのを効果的に抑制することができる。また、図１５に示すように、矢印Ｘ１方向における長さがシャッタ部材５の厚みよりも小さい異物Ｆが設置された場合でも、異物を検出することができる。
【００４０】
また、本実施形態では、正常に挿入口１ａが閉じていないと判断された場合に（ステップＳ１２：Ｎｏ）、異物の検出か機械的な故障の検出かを判断する（ステップＳ１４）ことによって、挿入口１ａに設置された異物Ｆの検出精度を向上させることができる。また、正常に挿入口１ａが閉じていない場合には、係員による作業が行われる必要があるが、異物の設置と機械的故障とを区別して検出することで、係員はそれぞれの状況に応じた的確な対応をとることができる。
【００４１】
本発明は、上述した以外にも種々の実施形態を採用することができる。たとえば、上記実施形態では、ＡＴＭ１５０に設けられたカード処理装置１００に本発明を適用する例を示したが、これに限らず、入退室管理装置などのその他の上位装置に設けられたカード処理装置に本発明を適用してもよい。
【００４２】
また、上記実施形態では、ステップＳ１４において、異物の検出か機械的故障の検出かを判断する例を示したが、これに限らず、ステップＳ１２において、シャッタ部材５が閉状態の位置まで移動していないと判断された場合に、異物を検出したと判断するようにしてもよい。
【００４３】
また、上記実施形態では、シャッタ部材５の凸部５ｂを受け入れる受入部として、当接部１ｂに有底の凹部１ｃを形成する例を示したが、凹部１ｃに代えて貫通孔からなる開口部を形成し、これを受入部としてもよい。
【００４４】
また、上記実施形態では、シャッタ部材５が挿入口１ａの下側に設けられており、シャッタ部材５の上端部５ａに凸部５ｂが形成されるとともに、挿入口１ａの上側の内側面に当接部１ｂが形成される例を示したが、これに限らず、シャッタ部材５が挿入口１ａの上側に設けられ、シャッタ部材５の下端部に凸部が形成されるとともに、挿入口１ａの下側の内側面に当接部が形成されるようにしてもよい。
【００４５】
また、上記実施形態では、凹部１ｃの深さＤを凸部５ｂの高さＨよりも大きくする例を示したが、これに限らず、凹部１ｃの深さＤと凸部５ｂの高さＨとを同じ大きさにしてもよいし、凸部５ｂの高さＨを凹部１ｃの深さＤよりも大きくしてもよい。すなわち、シャッタ部材５が閉状態の場合に、凸部５ｂが凹部１ｃに当接するようにしてもよい。
【００４６】
また、上記実施形態では、シャッタ位置検出センサ６の一例として、マイクロスイッチを示したが、これに限らず、シャッタ位置検出センサ６としてホール素子を用いてもよい。
【００４７】
また、上記実施形態において、凸部５ｂの高さＨは、シャッタ位置検出センサ６の検出精度に基づいて設定することができる。具体的には、凸部５ｂの高さＨを大きくすれば、シャッタ部材５が閉状態のときの位置と、シャッタ部材５が異物Ｆまたはカード２００を挟み込んだときの位置との距離を大きくすることができるので、検出精度の低いシャッタ位置検出センサ６を用いても、異物などを確実に検出することができる。
【図面の簡単な説明】
【００４８】
【図１】本発明の一実施形態によるカード処理装置が設けられたＡＴＭの構成を示したブロック図である。
【図２】図１のカード処理装置の概略を示した側面図である。
【図３】図２のシャッタ部材が開いた状態を示した正面図である。
【図４】図２のシャッタ部材が閉じた状態を示した正面図である。
【図５】図２のカード処理装置の構成を示したブロック図である。
【図６】本発明の一実施形態によるカード処理装置の動作を説明するためのフローチャートである。
【図７】本発明の一実施形態によるカード処理装置の動作を説明するための側面図である。
【図８】本発明の一実施形態によるカード処理装置の動作を説明するための側面図である。
【図９】本発明の一実施形態によるカード処理装置の動作を説明するための側面図である。
【図１０】本発明の一実施形態によるカード処理装置の挿入口を閉じる動作を説明するためのフローチャートである。
【図１１】シャッタ部材がカードを挟み込んだ状態を示した正面図である。
【図１２】シャッタ部材がカードを挟み込んだ状態を示した側面図である。
【図１３】シャッタ部材が異物を挟み込んだ状態を示した正面図である。
【図１４】シャッタ部材が異物を挟み込んだ状態を示した側面図である。
【図１５】シャッタ部材が異物を挟み込んだ状態を示した側面図である。
【符号の説明】
【００４９】
１ａ    挿入口
１ｂ    当接部
１ｃ    凹部（受入部）
３ａ    カード位置検出センサ（カード位置検出部）
５      シャッタ部材
５ａ    上端部（端部）
５ｂ    凸部
６      シャッタ位置検出センサ（シャッタ位置検出部）
７      カード挿入検出センサ（カード挿入検出部）
９      アクチュエータ（駆動部）
１１    制御部
１００  カード処理装置
２００  カード
【図１】
2010140117.tif 000003
【図２】
2010140117.tif 000004
【図３】
2010140117.tif 000005
【図４】
2010140117.tif 000006
【図５】
2010140117.tif 000007
【図６】
2010140117.tif 000008
【図７】
2010140117.tif 000009
【図８】
2010140117.tif 000010
【図９】
2010140117.tif 000011
【図１０】
2010140117.tif 000012
【図１１】
2010140117.tif 000013
【図１２】
2010140117.tif 000014
【図１３】
2010140117.tif 000015
【図１４】
2010140117.tif 000016
【図１５】
2010140117.tif 000017